(57)【要約】【課題】コンクリート構造物のひび割れ補修が簡単且つ確実に行える補修材及び補修方法を提供する  【解決手段】少なくとも無機系鉱物の粒と未焼成の粘土とを混合してなるコンクリート構造物のひび割れ補修材１を提供する。このひび割れ補修材１は、水を混ぜてスラリーにした状態で水膨潤した粘土と無機系鉱物の粒とが混ざり合う。このスラリーをコンクリート構造物２のひび割れ５に流し込むと、無機系鉱物の粒が水膨潤した粘土を潤滑剤としてひび割れ５の中にスムーズに入り込み、粘土と無機系鉱物の粒がひび割れ５を埋める。そして、粘土の水分が抜けて乾燥すると、その粘土が無機系鉱物の粒同士をつないでひび割れ５を塞いだ状態のまま固まる。【選択図】        図２
2008075338.tif 000002
【特許請求の範囲】
【請求項１】
少なくとも無機系鉱物の粒と未焼成の粘土とを混合してなることを特徴とするコンクリート構造物のひび割れ補修材。
【請求項２】
前記無機系鉱物は、硅石と長石であることを特徴とする請求項１記載のコンクリート構造物のひび割れ補修材。
【請求項３】
請求項１又は２記載のひび割れ補修材でスラリーを形成し、該スラリーをひび割れに流し込むようにしたことを特徴とするコンクリート構造物のひび割れ補修方法。
【請求項４】
請求項１又は２記載のひび割れ補修材を、コンクリート構造物のひび割れ箇所より高所であって雨水に当たるか又は雨水が流れる場所に置き、雨水とひび割れ補修材で形成されるスラリーがひび割れに流れ込むようにしたことを特徴とするコンクリート構造物のひび割れ補修方法。
【発明の詳細な説明】
【技術分野】
【０００１】
本発明は、ビルなどのコンクリート構造物に発生するひび割れを補修するひび割れ補修材及びひび割れの補修方法に関する。
【背景技術】
【０００２】
コンクリート構造物に発生するひび割れの補修材としてセメント系等の無機系材料があり、従来はこれに水を混ぜて無機系注入スラリーとし、その無機系注入スラリーを加圧してひび割れに注入させるようにしている（特許文献１）。
【特許文献１】特開平９−１８４２９７号公報
【発明の開示】
【発明が解決しようとする課題】
【０００３】
従来より、ひび割れ補修材のスラリーは、圧力を加えてひび割れに注入したり、負圧にしてひび割れに吸引する必要がある、と考えられていた。
しかし本出願人は、圧力を加えたり負圧にしなくともコンクリート構造物のひび割れに簡単に入り込む材料を偶然に発見した。
【０００４】
すなわち、本出願人の作業場はコンクリート製の建物であり、ひび割れに起因する雨漏りが発生していた。その建物の屋上の一部に単なる保管を目的として陶磁器用坏土を野積みにしたのであるが、その後、本出願人は建物の雨漏りが解消されていることに気付いた。
【０００５】
一般に陶磁器用坏土は、硅石プラス長石約６０重量部に対して粘土約４０重量部の割合で調合したものであるが、野積みした状態では天候により、乾燥して固まった状態と、雨水を吸収して軟化した状態とを繰り返す。そして、降雨時に雨水に陶磁器用坏土が混ざってスラリーとなり、そのスラリーがコンクリートのひび割れに入り込むことによって、自然に補修されたものと思われる。
【０００６】
陶磁器用坏土に含まれる未焼成の粘土は、水を含むことにより流動性、可塑性を発揮することが知られている。一方、陶磁器用坏土に含まれる硅石や長石の粒子は、前記した従来の無機系材料と同じく水に漬けても殆ど変化しないから、陶磁器用坏土に含まれる未焼成の粘土分が、ひび割れを補修する上で重要な役割を果たしているものと推測される。
【０００７】
本発明は、上記知見に基づきなされたもので、その目的は、コンクリート構造物のひび割れ補修が簡単且つ確実に行える補修材及び補修方法を提供することにある。
【課題を解決するための手段】
【０００８】
請求項１に記載したように、少なくとも無機系鉱物の粒と未焼成の粘土とを混合してなるコンクリート構造物のひび割れ補修材を提供する。
また、請求項２に記載したように、前記無機系鉱物は、硅石と長石である請求項１記載のコンクリート構造物のひび割れ補修材を提供する。
また、請求項３に記載したように、請求項１又は２記載のひび割れ補修材でスラリーを形成し、該スラリーをひび割れに流し込むようにしたコンクリート構造物のひび割れ補修方法を提供する。
また、請求項４に記載したように、請求項１又は２記載のひび割れ補修材を、コンクリート構造物のひび割れ箇所より高所であって雨水に当たるか又は雨水が流れる場所に置き、雨水とひび割れ補修材で形成されるスラリーがひび割れに流れ込むようにしたコンクリート構造物のひび割れ補修方法を提供する。
【発明の効果】
【０００９】
本発明のひび割れ補修材は、水を混ぜてスラリーにした状態で水膨潤した粘土と無機系鉱物の粒とが混ざり合う。このスラリーを請求項３のようにコンクリート構造物のひび割れに流し込むと、無機系鉱物の粒が水膨潤した粘土を潤滑剤としてひび割れの中にスムーズに入り込み、粘土と無機系鉱物の粒がひび割れを埋める。そして、粘土の水分が抜けて乾燥すると、その粘土が無機系鉱物の粒同士をつないでひび割れを塞いだ状態のまま固まる。
また、本発明のひび割れ補修材は、無機系鉱物と未焼成の粘土で出来ているため、コンクリート構造物を解体した場合にコンクリートと一緒に処理できる。従って解体後の廃材の処理が容易であり、環境への負荷が小さい。
【００１０】
また、請求項２のひび割れ補修材は、未焼成の粘土と硅石と長石とを混合したものであって、市販の陶磁器用又はタイル用の坏土がそのまま利用できる。従って、新たな製造設備を要せず非常に低価格に実施できるメリットがある。
【００１１】
また、請求項４のように、前記ひび割れ補修材を、コンクリート構造物のひび割れ箇所より高所であって雨水に当たるか又は雨水が流れる場所に置くことにより、雨が降るたびに雨水にひび割れ補修材が混ざってスラリーとなり、そのスラリーがコンクリート構造物の表面を流れて薄い層を作り、さらにスラリーがひび割れに入って無機系鉱物の粒と粘土とでそのひび割れを自然に補修し、また、新たなひび割れが出来ても直ぐに塞がる。従って、コンクリート構造物のひび割れに起因する劣化を効果的に防止することができる。
【発明を実施するための最良の形態】
【００１２】
以下に本発明の実施の形態を図面を参照しつつ説明する。なお、図１はひび割れ補修材の成形品を示す斜視図、図２はコンクリート構造物の高所（屋上）の一部を示す模式図である。
【００１３】
本発明のひび割れ補修材１は、無機系鉱物である硅石プラス長石約６０重量部に対して未焼成の粘土約４０重量部の割合で調合し、含水量約５〜１０重量部の陶磁器用坏土を原材料とし、これを図１のような円柱形（例えば直径約１０ｍｍ、長さ約２０ｍｍ）に成形した後、乾燥させたものである。
【００１４】
前記硅石は、珪酸質鉱物であって粒径５〜５０μｍのものである。また、前記長石は、珪酸アルミナ質鉱物であって粒径５〜５０μｍのものである。また、粘土は、木節粘土、蛙目粘土やモンモリロナイト系，カオリナイト系，ハロイサイト系の珪酸アルミナ質鉱物であって粒径２μｍ以下（おおよそ０.１μｍ〜）になっており、未焼成である。なお、製造する段階で、例えば乾燥を目的として加熱した程度の粘土は、結晶水を保持し結晶構造に変化を生じていないから未焼成の粘土に含まれる。
【００１５】
ひび割れ補修材１を成形する手段は、土練機による押出し成形でよいが、ひび割れ補修材１を粉状にしてプレス機で例えば板状に成形したり、或は公知の転動造粒機で球状に成形してもよい。また、ひび割れ補修材１の形状は円柱形、球形、立方体などの定形の他、一旦、豆炭型に固めて破砕する等した不定形の粒状であってもよい。
【００１６】
次に本発明のひび割れ補修材１によるひび割れ補修方法について、コンクリート構造物であるビルを例に説明する。
先ず、図２に示したように、ビルの屋上２に多数のひび割れ補修材１を置く。この場合、ひび割れ補修材１は、屋上２の全面を覆うか、又は雨水が流れやすい場所を選択して屋上２の一部を覆うようにする。そして、その上に土などの被覆層３を被せる。被覆層３は、植物栽培可能なものにして適宜な植物を植えるとよい。こうすることによりビルの屋上２に代表されるコンクリート構造物の高所を緑化・庭園化することができ、しかも被覆層３の下にひび割れ補修材１が隠れるため目立たない。なお、屋上２の緑化を行わない場合は、ひび割れ補修材１の上に土を被せず、必要なら簀の子(図示せず）を敷くなどしてもよい。また、雨漏りが発生しているビルの応急処置として、ひび割れ補修材１を屋上２に野積み状態に盛り上げておくようにするだけでもよい。
【００１７】
さて、この状態で雨が降ると、雨水を含んでひび割れ補修材１が軟化すると共にひび割れ補修材１を構成する粘土や硅石、長石の粒が雨水に混ざってスラリーとなり、そのスラリーがビルの屋上２の表面を流れて図２のようにひび割れ補修材１の薄い粉体層４を形成する。また、スラリー中の粘土は、水膨潤した状態で硅石の粒や長石の粒と混ざり合い、持ち前の流動性を発揮して硅石や長石と一緒にひび割れ５（通常、割れ幅が０.３ｍｍ以下である場合が多い。）の中にスムーズに入り込む。そして、スラリーがひび割れ５中を通る過程で次第に濃縮され、やがて硅石、長石、粘土が凝集してひび割れ５を塞ぐ。その状態がひび割れ５の奥から順に拡大し、やがてひび割れ５全体がひび割れ補修材１で埋まる。なお、スラリーがひび割れ５の中に入ってからひび割れ５が埋まるまでの正確なメカニズムは不明であるが、出願人の前記した実体験に基づき以上のように推測される。
【００１８】
このようにビルの屋上２にひび割れ補修材１を置いて雨水と一緒に流れるようにすれば、雨が降る度にひび割れ５が自然に補修され、また、新たなひび割れ５が出来ても直ぐに塞がる。従って、ひび割れ５に起因するビルの劣化を効果的に防止することができる。
【００１９】
以上本発明を実施の形態について説明したが、もちろん本発明は上記実施形態に限定されるものではない。例えば実施形態では無機系鉱物として硅石と長石を例示したが、それ以外にも陶石や、陶磁器の粉砕粒、耐火煉瓦の粉砕粒などでもよい。また、実施形態ではひび割れ補修材１として陶磁器用坏土をそのまま利用したが、タイル用坏土でもそのまま利用可能である。
【００２０】
また、実施形態では建築用のコンクリート構造物を例示したが、土木用のコンクリート構造物にも適用可能である。
【００２１】
また、実施形態ではスラリー自身の自然な流れを利用してひび割れ５に入り込ませるようにしたが、もちろん本発明のひび割れ補修材は、既存の注入工法等のひび割れ補修材としても利用することができ、そうした場合にはスラリーの優れた流動性により、既存工法によるひび割れ補修作業の作業性、信頼性、確実性の向上に効果がある。
【図面の簡単な説明】
【００２２】
【図１】ひび割れ補修材の成形品を示す斜視図である。
【図２】コンクリート構造物の高所（屋上）の一部を示す模式図である。
【符号の説明】
【００２３】
１  …ひび割れ補修材
２  …ビル（コンクリート構造物）の屋上（高所）
５  …ひび割れ
【図１】
2008075338.tif 000003
【図２】
2008075338.tif 000004